(57)【特許請求の範囲】
【請求項１】
少なくとも前後一対の針床を備える横編機を用い、伏目処理で編地のウエール方向最終編目列に解れ止めを行う終端領域を備える編地の編成方法において、
終端領域を区分線で編幅方向の一方側と他方側とに区分し、区分線から見て一方側に向く方向を一方向、他方側に向く方向を他方向として、一方側で編針に係止する編目列を区分線から離れる一方向に移動させて空き針を設け、該空き針に新たな増し目を形成すると共に、移動した編目列のウエール方向に新たな編目列を形成する工程Ａと、
他方側で編針に係止する編目列を区分線から離れる他方向に移動させて空き針を設け、該空き針に新たな増し目を形成すると共に、移動した編目列のウエール方向に新たな編目列を形成する工程Ｂと、
工程Ａと工程Ｂを繰り返した後、一方側および他方側の編目列に、解れ止めとなる伏目処理を行う工程Ｃと、
一方側の増し目と他方側の増し目に対し、形成順同士となる重ね目を設けるように増し目を移動させ、形成順とは逆順に終端領域の始端側に向かう伏目処理で、一方側の編地と他方側の編地とを接合する工程Ｄと、
を含むことを特徴とする終端領域を備える編地の編成方法。
【請求項２】
前記工程Ａと前記工程Ｂとを交互に行い、交互の工程間で、工程Ａで形成する編目列と工程Ｂで形成する編目列と繋ぐ編目列を形成する、
ことを特徴とする請求項１記載の終端領域を備える編地の編成方法。
【請求項３】
前記終端領域は、リブ編みで形成する、
ことを特徴とする請求項１または２記載の終端領域を備える編地の編成方法。
【請求項４】
ウエール方向最終編目列が伏目処理で解れ止めされる終端領域を備える編地において、
終端領域は、
該ウエール方向最終編目列に対して、ウエール方向に連続する複数コースを有し、コース方向の中間で区分される一方側の編地および他方側の編地と、
該ウエール方向最終編目列から該終端領域の始端側に向う伏目処理で該一方側の編地および該他方側の編地を接合する、ウエール伏目部と、
該ウエール方向最終編目列を解れ止めする伏目処理が該ウエール伏目部に続くように施される、コース伏目部と、
を含むことを特徴とする終端領域を備える編地。
【発明の詳細な説明】
【技術分野】
【０００１】
本発明は、横編機による終端領域を備える編地の編成方法と、その編成によって得られる終端領域を備える編地とに関する。
【背景技術】
【０００２】
横編機では、コース方向の編目列をウエール方向に順次編成して編地製品を形成する。編地製品のウエール方向最終編目列に対しては、伏目処理による解れ止を行う。
【０００３】
たとえば特許文献１には、前後の針床で筒状に編成する編地などのウエール方向最終編目列を伏目処理でコース方向に順次連結することが記載されている。なお、伏目の最終編目に対してランバック防止の編成を行っていることも記載されている。ランバック防止のために編成する編目は紐状に残るので、編成後に手作業によって糸始末する必要がある（特許文献１第２図、および明細書第３ページ第６欄第３３行から第３８行参照）。
【０００４】
特許文献２には、筒状編地のウエール方向終端部に複数段で帯状となる伏目処理を行うことが記載されている。伏目処理は、起点を保持しながら進められ、最後に起点に対して終点を接合することができる。なお、起点と終点との接合部に対しては、特許文献１と同様に、ランバック防止用の編成が必要となる。
【先行技術文献】
【特許文献】
【０００５】
【特許文献１】特許第２７４７９１４号公報
【特許文献２】特開２０１２−１８０６１６号公報
【発明の概要】
【発明が解決しようとする課題】
【０００６】
ウエール方向最終編目列の伏目処理では、解れ止めを行うことができても、伏目処理が完了した最終の編目を編針から外すと、外した編目からランバックして解れが開始してしまうおそれがある。この解れを防止するため、１〜３目幅でウエール方向に２０コース程度の編成が行われ、紐状の編地を形成する。この紐状の編地に対して解れが生じても、編地製品の解れには至らない。
【０００７】
しかしながら、紐状の編地は、編地製品には不要であるが編地から突出してしまう。このような突出部は編地製品の商品価値を低下させるので、手作業による後工程で、解れ止めを行うとともに、突出部をフラットにして、仕上りを良くする必要がある。
【０００８】
本発明の目的は、編地のウエール方向最終端の伏目処理の仕上りを良くし、後工程の手間を軽減する終端領域を備える編地の編成方法および終端領域を備える編地を提供することである。
【課題を解決するための手段】
【０００９】
本発明は、少なくとも前後一対の針床を備える横編機を用い、伏目処理で編地のウエール方向最終編目列に解れ止めを行う終端領域を備える編地の編成方法において、
終端領域を区分線で編幅方向の一方側と他方側とに区分し、区分線から見て一方側に向く方向を一方向、他方側に向く方向を他方向として、一方側で編針に係止する編目列を区分線から離れる一方向に移動させて空き針を設け、該空き針に新たな増し目を形成すると共に、移動した編目列のウエール方向に新たな編目列を形成する工程Ａと、
他方側で編針に係止する編目列を区分線から離れる他方向に移動させて空き針を設け、該空き針に新たな増し目を形成すると共に、移動した編目列のウエール方向に新たな編目列を形成する工程Ｂと、
工程Ａと工程Ｂを繰り返した後、一方側および他方側の編目列に、解れ止めとなる伏目処理を行う工程Ｃと、
一方側の増し目と他方側の増し目に対し、形成順同士となる重ね目を設けるように増し目を移動させ、形成順とは逆順に終端領域の始端側に向かう伏目処理で、一方側の編地と他方側の編地とを接合する工程Ｄと、
を含むことを特徴とする終端領域を備える編地の編成方法である。
【００１０】
また本発明で、前記工程Ａと前記工程Ｂとを交互に行い、交互の工程間で、工程Ａで形成する編目列と工程Ｂで形成する編目列とを繋ぐ編目列を形成する、
ことを特徴とする。
【００１１】
また本発明で、前記終端領域は、リブ編みで形成する、
ことを特徴とする。
【００１２】
さらに本発明は、ウエール方向最終編目列が伏目処理で解れ止めされる終端領域を備える編地において、
終端領域は、
該ウエール方向最終編目列に対して、ウエール方向に連続する複数コースを有し、コース方向の中間で区分される一方側の編地および他方側の編地と、
該ウエール方向最終編目列から該終端領域の始端側に向う伏目処理で該一方側の編地および該他方側の編地を接合する、ウエール伏目部と、
該ウエール方向最終編目列を解れ止めする伏目処理が該ウエール伏目部に続くように施される、コース伏目部と、
を含むことを特徴とする終端領域を備える編地である。
【発明の効果】
【００１３】
本発明によれば、工程Ｄにおける伏目処理の最後の編目は、編地全体としてのウエール方向最終編目列に対して複数コースを先行する編目列の位置に形成される。最後の編目に、ランバック防止に紐状の編地を追加しても、ウエール方向最終編目列から突出せず、ウエール方向最終編目列に対する伏目処理の仕上りが良くなる。また、目立たない箇所で伏目処理が完了するため、簡単な解れ止め処理も可能で、後工程の手間の軽減を可能にすることができる。
【００１４】
また本発明によれば、筒状編地のウエール方向最終編目列の伏目処理をフラットに行うことができる。
【００１５】
また本発明によれば、工程Ｄの伏目処理で形成するウエール方向の編目は、リブ編みの組織に近似するので、終端領域をリブ組織で編成すれば、伏目処理による区分線の両側の編地の接合部を目立たなくすることができる。
【００１６】
さらに本発明によれば、編地のウエール方向最終編目列には伏目処理の最後の編目が残らないので、仕上りの良い編地となる。伏目処理の最後の編目は、ウエール方向最終編目列よりも複数コースを先行する編目列の位置に形成されるので、ランバック防止に紐状の編地が追加されていても、ウエール方向最終編目列のフラットな仕上りに支障が生じることはなく、後工程の手間の軽減を可能にすることができる。
【図面の簡単な説明】
【００１７】
【図１】図１は、本発明の一実施例としての終端領域３を備える編地１の編成方法を概略的に示す編成工程図である。
【図２】図２は、図１の工程Ｄの前半部分について概略的な手順を示す編成工程図である。
【図３】図３は、図１の工程Ｄの後半部分について概略的な手順を示す編成工程図である。
【図４】図４は、図１の編成方法で編成した終端領域３を備える筒状の編地１の内側を拡大して示す写真である。
【図５】図５は、図１の編成方法で編成した終端領域３を備える筒状の編地１の外側を拡大して示す写真である。
【発明を実施するための形態】
【００１８】
以下、図１〜図５で、本発明の一実施例としての終端領域を備える編地の編成方法および終端領域を備える編地を説明する。説明の便宜上、説明対象の図には記載されていない部分について、他の図に記載される参照符を付して言及する場合がある。
【実施例】
【００１９】
図１は、本発明の一実施例としての終端領域３の編成方法を概略的に示す。終端領域３は、前後で対向する少なくとも一対の前針床ＦＢ（以降はＦＢと示す）と後針床ＢＢ（以降はＢＢと示す）を備える２枚ベッドの横編機で、筒状の編地１の主要部となるベース編地２のウエール方向の終端側に形成する。ＦＢとＢＢとに形成する編目列は直線で示す。対向するＦＢ，ＢＢ間では目移しが可能で、ＦＢ，ＢＢ間の相対位置をずらせるラッキングも可能である。編針は、たとえば特許第２９４６３２５号公報に記載されているような複合針を使用し、編目を他の編目を係止する編針に一時的に預け置くホールディングが可能なものを使用する。ただし、以下の編成方法の説明では、リブ編みのようなＦＢ，ＢＢの両針床を使用して編成する編地でも、表目を編成する方の針床に編目列を形成するものとして示す。編目列の形成については、簡略化して結果のみ示す。ホールディングを利用しない、または利用可能でない場合は、編目を１本置きに編針に係止して空き針を準備しておく針抜き編成を行えば良い。４枚ベッドの横編機を用いれば、空き針を準備する必要なく編成が可能となる。
【００２０】
ベース編地２は、同一の給糸口４から編糸を供給しながら、ＦＢ，ＢＢで交互に編成することで筒状の編地を編成する。なお、図の区分線（ＳＬ）の左側および右側をそれぞれ一方側および他方側とする。本実施例の編成方法には、以下に示すＡ，Ｂ，Ｃ，Ｄの工程を含む。
【００２１】
終端領域３は、ベース編地２を周回編成した後、工程Ａと工程Ｂを交互に編成すると共に、その工程間で、ＢＢに係止する編地を編成することを繰返す、いわゆるＣ字状編成で形成する。具体的には、ＦＢの一方側の編目列３Ｒｃを他方向（図面右向き）に向けて編成開始して折返す往復編成した後、ＢＢの編目列３Ｂｃを他方向に向けて編成する。続いてＦＢの他方側の編目列３Ｌｃを一方向（図面左向き）に向けて編成開始して折返す往復編成した後、ＢＢの編目列３Ｂｃを一方向に向けて編成することを繰返す。以下、各工程について説明する。
【００２２】
工程Ａでは、編地１のウエール方向最終編目列の解れ止めを行う終端領域３を区分線ＳＬで編幅方向の一方側と他方側とに区分し、一方側の編目列３Ｒｃを区分線ＳＬから離れる方向に移動させて空き針を設ける。一方側のＦＢで係止する編目列３Ｒｃは、一旦ＢＢに目移しし、ＢＢをラッキングして、一方向に１ピッチ（１Ｐ）分だけ相対移動した状態で編目列３ＲｃをＦＢに戻して、区分線ＳＬ側に空き針を設ける。以下同様に、空き針に新たな増し目ａ，ｂ，ｃ，ｄを順次形成すると共に、一方向に移動した編目列に対して編成を行い、ウエール方向に続く新たな編目列３Ｒｃを形成する。
【００２３】
本実施例では、ＦＢでベース編地２に続く終端領域３の１コース目の編目列３Ｒｃを、一方側の編端から区分線ＳＬに向うように給糸口４から編糸を供給して形成する。一方側の編針で係止される編目列３Ｒcを１ピッチ分一方向に移動させて、空き針を設ける。該空き針に隣接する編目に対する割り増やしを行い、空き針に新たな増し目ａを形成する。次に給糸口４を折返して区分線ＳＬから一方向に移動させて、１コース目の編目列３Ｒcに続く２コース目の編目列３Ｒcを形成した後、さらに編目列３Ｒcを１コース目と同様に一方向に移動させて、増し目ａとの間に空き針を設ける。該空き針には、移動した２コース目の編目列３Ｒｃの空き針に隣接する編目に対する割り増やしを行い、空き針に新たな増し目ｂを形成する。なお、新たな増し目ａ，ｂは、割り増やしではなく、掛け目で形成することもできる。
【００２４】
ＦＢで編目列３Ｒcを往復編成すると、ＢＢに係止するベース編地２の編目に対し、給糸口４を他方向に移動して新たな編目を編成する。なお、ＦＢの編目列３Ｒｃを一方向にずらすためにＦＢとＢＢとの間で編目のずれが発生するが、ＦＢの左端部の編目をＢＢに目移しする回し込み編成を行えば良い。この編成は、ＦＢの編目列３ＬｃとＢＢとのずれにも適用する。
【００２５】
次の工程Ｂでは、ＦＢの他方側で編目列３Ｌｃを、一方側の工程Ａと同様に形成する。区分線ＳＬの他方側に形成した編目列３Ｌｃを区分線ＳＬから離れる他方向に移動させて区分線ＳＬ側に空き針を設ける。空き針に隣接する編目に対する割り増やしを行い、空き針に新たな増し目α，β，γ，δを形成すると共に他方向に移動した編目列のウエール方向に続く新たな編目列３Ｌｃを形成する。
【００２６】
本実施例では、終端領域３を形成するウエール方向のコース分が得られるまで、工程Ａと工程Ｂとを区分線ＳＬの両側の近傍でそれぞれ折返すＣ字編成で交互に繰返す。編目列３Ｒｃ，３ＬｃをＢＢで編成する編目列３Ｂｃで繋ぐように形成することを繰返すと、区分線ＳＬの両側に増し目ａ，ｂ，ｃ，ｄ；α，β，γ，δが形成されるとともに、編地３Ｒ，３Ｌも形成される。
【００２７】
工程Ｃでは、編地１に対し、ウエール最終編目列の伏目処理を行い、コース伏目部３Ｃを形成する。ＦＢ，ＢＢの編針に係止されている編目列３Ｒｃ，３Ｂｃ，３Ｌｃは、編地１のウエール方向最終編目列となる。なお、ＦＢで係止する編目列３Ｒｃ，３Ｌｃは、区分線ＳＬから離れる移動距離が大きくなると、編幅の端部でＢＢに係止する編目列３Ｂｃとに繋がる編糸が延びてしまうので、前述のように回し込み編成を行うことが好ましい。
【００２８】
本実施例では、一方側の編目列３Ｒｃの区分線ＳＬ側の端部をコース伏目部３Ｃの最初の編目３Ｃｓとして、伏目処理を一方向に進める。ＦＢの編目列３Ｒｃの伏目処理が完了すれば、ＢＢの編目列３Ｂｃに対して他方向に伏目処理を行い、続いてＦＢの編目列３Ｌｃに対しても一方向に伏目処理を行う。編目列３Ｌｃで増し目δに隣接する編目がコース伏目部３Ｃの最後の編目３Ｃｅとなる。編目３Ｃｅを除き、編目列３Ｒｃ，３Ｂｃ，３Ｌｃにウエール方向で続く編目は、伏目処理で編針から外れるので、増し目ａ，ｂ，ｃ，ｄ；α，β，γ，δの後述する移動が容易になる。
【００２９】
工程Ｄでは、区分線ＳＬを境界とした一方側と他方側とに形成されたそれぞれの増し目ａ，ｂ，ｃ，ｄ；α，β，γ，δを、形成順となる編目同士が重なるようにＦＢ，ＢＢ間で移動させ、形成順とは逆順となる伏目処理を行う。この伏目処理で、一方側の編目列３Ｒｃで形成される編地３Ｒと他方側の編目列３Ｌｃで形成される編地３Ｌとが接合し、接合部に、ウエール伏目部３Ｗが形成される。工程Ｄは、以下に説明するように行う。
【００３０】
図２は、図１の工程Ｄの前半部分についての概略的な手順を、Ｄ０からＤ４で示す。工程Ｄ０は、図１の工程Ｃの終了状態を示し、ＦＢでは区分線ＳＬの両側に増し目ａ，ｂ，ｃ，ｄ；α，β，γ，δが形成され、増し目δの他方向に隣接する編針にコース伏目部３Ｃの最後の編目３Ｃｅが係止されている。給糸口４からは、コース伏目部３Ｃの最後の編目３Ｃｅに続く編糸が供給されている。次の工程Ｄ１では、一方側の増し目ａ，ｂ，ｃ，ｄをＢＢに目移しする。次の工程Ｄ２では、ＦＢに対しＢＢを他方向に１ピッチ（１Ｐ）分移動させ、増し目ａをＦＢに目移しし、ＦＢで係止されている増し目αに重ねて重ね目を形成する。次の工程Ｄ３では、ＦＢに対してＢＢをさらに２ピッチ（２Ｐ）分他方向に移動させ、増し目ｂをＦＢに目移しし、ＦＢで係止されている増し目βに重ねて重ね目を形成する。以下同様にして、工程Ｄ４までに、ＦＢで係止する増し目γ，δにも、増し目ｃ，ｄをそれぞれ重ねて重ね目を形成する。
【００３１】
なお、以上の説明では、工程Ｄ１で増し目ａ，ｂ，ｃ，ｄの全部をＢＢに一旦目移してから、以下の工程で一目ずつＦＢに目移しして重ねている。また、形成した順番同士となる重ね目を設けるように、増し目ｄ，ｃ，ｂ，ａの順に一目ずつＢＢに移動させ、ＦＢの増し目α，β，γ，δとそれぞれ対向するように配置してから一度に重ねるようにしてもよい。
【００３２】
図３は、図１の工程Ｄの後半部分について概略的な手順を、Ｄ５からＤ９にて示す。工程Ｄ５では、図２の工程Ｄ４で形成する重ね目δ，ｄに、コース伏目部３Ｃの最後の編目３Ｃｅをさらに重ね、三目の重ね目を形成する。工程Ｄ６では、三目の重ね目に新たな編目を形成する。この編目がウエール伏目部３Ｗの最初の編目３Ｗｓとなる。工程Ｄ７では、新たな編目を、重ね目γ，ｃにさらに重ねて、三目の重ね目を形成する。工程Ｄ８では、三目の重ね目に新たな編目を形成する。以下、同様にして、工程Ｄ９までに、最後の三目の重ね目を形成し、工程Ｄ９で三目の重ね目に対して新たな編目を形成する。この新たな編目は、ウエール伏目部３Ｗの最後の編目３Ｗｅとして、ウエール方向最終編目列よりも複数コース分を先行する編目列の位置に形成される。最後の編目３Ｗｅに、ランバック防止に紐状の編地が追加されていても、編地１のウエール方向最終編目列のフラットな仕上りに支障が生じることはなく、後工程の手間の軽減を可能にすることができる。
【００３３】
なお、増し目ａ，ｂ，ｃ，ｄ；α，β，γ，δは、区分線ＳＬの両側に４目ずつ形成しているけれども、他の数でもよい。増し目の数が多くなれば、ウエール伏目部３Ｗの最後の編目３Ｗｅを形成する位置を、ウエール最終端から離すことができる。終端領域３のコース数を衿丈と合わせれば、最後の編目３Ｗｅの位置が身頃との境界となるため、目立ち難い。
【００３４】
図４および図５は、図１の編成方法で編成した終端領域３を備える筒状の編地１の内側および外側の例をそれぞれ拡大写真で示す。編地１は、ニットウエアであり、終端領域３はリブ編成で形成する衿部であって、ウエール方向最終編目列が伏目処理される。終端領域３は、ウエール方向最終編目列に先行して形成する複数コースを有し、コース方向の中間の区分線ＳＬで区分される両側の編地３Ｒ，３Ｌを備える。伏目処理は、ウエール伏目部３Ｗとコース伏目部３Ｃとで行われる。ウエール伏目部３Ｗは、ウエール方向最終編目列から終端領域３の始端側に向う伏目処理で両側の編地３Ｒ，３Ｌを接合する。コース伏目部３Ｃは、ウエール方向最終編目列に対して施され、コース方向３Ｃｄの伏目処理がウエール伏目部３Ｗに続くように施されるけれども、編成工程について説明したように、コース伏目部３Ｃの方がウエール伏目部３Ｗよりも先に形成される。ウエール方向最終編目列には伏目処理の最後の編目３Ｗｅが残らないので、フラットになり仕上りを良くすることができる。伏目処理の最後の編目は、ウエール方向最終編目列よりも複数コース終端領域３の始端側となる編目列の位置に、しかも筒状編地の内側に形成されるので、ランバック防止に紐状の編地５が追加されていても、コース伏目部３Ｃの仕上りに支障が生じることはなく、後工程の手間の軽減を可能にすることができる。なお、本実施例では、紐状の編地５の終端に、伸縮性の大きい糸で解れ止め６を追加している。また、目立たない箇所で伏目処理が完了するため、簡単な解れ止め処理も可能で、後工程の手間の軽減を可能としている。
【００３５】
本実施例の編地１は、筒状編地であるけれども、開口部があるＣ字状の編地でも良い。たとえば、衿部や裾部などに本実施例を適用してもよい。本実施例で形成するウエール伏目部３Ｗは、リブ編みの組織に近似するので、終端領域３をリブ編みで形成することで、区分線ＳＬの両側の接合部を目立たなくすることができる。しかしながら、他の組織の終端領域３でも、ウエール伏目部３Ｗの最後の編目を、ウエール方向最終編目列から離して形成することができるので、仕上りとランバック防止については本実施例と同様の効果が得られる。
【符号の説明】
【００３６】
１  編地
２  ベース編地
３  終端領域
３Ｃ  コース伏目部
３Ｌ  一方側の編地
３Ｒ  他方側の編地
３Ｗ  ウエール伏目部
４  給糸口
Ａ，Ｂ，Ｃ，Ｄ；Ｄ０，Ｄ１，Ｄ２，Ｄ３，Ｄ４，Ｄ５，Ｄ６，Ｄ７，Ｄ８，Ｄ９  工程
ＦＢ  前針床
ＢＢ  後針床
ＳＬ  区分線
ａ，ｂ，ｃ，ｄ，α，β，γ，δ  増し目
【図１】
0006718751.tif 000002
【図２】
0006718751.tif 000003
【図３】
0006718751.tif 000004
【図４】
0006718751.tif 000005
【図５】
0006718751.tif 000006